(57)【特許請求の範囲】
【請求項１】
記憶媒体に記憶された動画の再生を行う映像再生装置であって、
再生中の動画の任意の場面の選択を受け付ける記憶画像選択手段と、
当該記憶画像選択手段が選択を受け付けた場面を動画中において構成する静止画を、１または複数記憶する画像記憶手段と、
当該画像記憶手段が記憶した各静止画について、当該静止画の動画中の位置を表すアドレスを記憶するアドレス記憶手段と、
前記画像記憶手段に記憶されている１または複数の静止画を表示するメニュー表示手段と、
当該メニュー表示手段が表示した１または複数の静止画の内の一つの静止画の選択を受け付ける再生画像選択手段と、
再生画像選択手段が選択を受け付けた静止画について前記アドレス記憶手段に記憶されている動画中の位置を再生を開始する位置として、前記記憶媒体からの動画の再生を行うジャンプ再生手段と、を有し、
前記画像記憶手段は、前記静止画を縦および横方向について縮小して記憶し、
前記メニュー表示手段は、前記画像記憶手段に記憶されている複数の静止画を、一画面中に組み合わせて表示することを特徴とする映像再生装置。
【請求項２】
請求項１記載の映像再生装置であって、
前記画像記憶手段は、前記静止画の縦横のデータ量を間引くことで、前記メニュー表示手段が一画面中に組み合わせて表示する静止画数分の１に縮小して記憶することを特徴とする映像再生装置。
【請求項３】
請求項１または２記載の映像再生装置であって、
前記記憶画像選択手段が、新たな場面の選択を受け付けたとき、当該場面を動画中において構成する静止画を記憶する余地が、前記画像記憶手段に無い場合に、警告を出力する手段を備えたことを特徴とする映像再生装置。
【請求項４】
請求項１、２または３記載の映像再生装置であって、
前記メニュー表示手段は、動画の再生中に、メニュー表示を指示された場合に、動画の再生を停止し、前記画像記憶手段に記憶されている１または複数の静止画の表示を行い、１または複数の静止画の表示中に、メニュー表示の終了を指示された場合に、前記停止した動画の再生を再開することを特徴とする映像再生装置。
【請求項５】
請求項１、２、３または４記載の映像再生装置であって、
前記メニュー表示手段は、前記画像記憶手段に記憶されている複数の静止画に各々識別番号を付して表示し、
前記再生画像選択手段は、前記一つの静止画の選択を、当該静止画に付された識別番号の入力によって受け付けることを特徴とする映像再生装置。
【請求項６】
請求項５記載の映像再生装置であって、
前記メニュー表示手段が前記画像記憶手段に記憶されている複数の静止画に付して表示した識別番号以外の番号を、前記再生画像選択手段が受け付けた場合に警告を出力する手段を備えたことを特徴とする映像再生装置。
【請求項７】
請求項５または６記載の映像再生装置であって、
当該メニュー表示手段が表示した複数の静止画の内の静止画の選択を、当該静止画に付された識別番号の入力によって受け付ける削除画像選択手段と、
当該削除画像選択手段が選択を受け付けた静止画を、前記記憶媒体から削除し、当該削除した静止画について前記アドレス記憶手段に記憶されている動画中の位置を削除する画像削除手段とを有することを特徴とする映像再生装置。
【請求項８】
請求項１、２、３、４、５、６または７記載の映像再生装置であって、
前記記憶媒体には、ＭＰＥＧ方式によって符号化された画像データであるＭＰＥＧデータが記憶されており、
前記ＭＰＥＧデータをデコードして動画の再生順に出力するデコード手段と、
前記アドレス記憶手段を制御するアドレス制御手段と、をさらに有し、
前記アドレス制御手段は、前記デコード手段によりデコードが開始される前記ＭＰＥＧデータのデータブロックのアドレスを、当該データブロックがデコードされて出力されるまで遅延保持することで、前記記憶画像選択手段が選択を受け付けたときに再生されていた静止画を構成するデータブロックのアドレスを、前記アドレス記憶手段に記憶することを特徴とする映像再生装置。
【発明の詳細な説明】
【０００１】
【発明の属する技術分野】
本発明は、動画が記録されたビデオディスクなどの記録媒体から情報を再生する映像再生装置において、動画から取り込んだ１または複数の静止画を表示する技術に関するものである。
【０００２】
【従来の技術】
たとえば、映像再生装置において複数の静止画を表示する技術としては、ビデオＣＤ再生装置において、ディスプレイの画面を分割してマルチ画面とし、ビデオＣＤに記憶された各曲（トラック）の冒頭部分の各画像を分割した各々の画面に表示する技術が知られている。この技術では、順次、各曲の冒頭部分の動画を再生し、所定時間後の動画をフリーズさせ、静止画として表示している。
【０００３】
また、特開平８‐２６５７０３号公報に記載されているように、情報記録媒体から再生した動画中から、利用者が指定した任意のタイミングで静止画を取り込み、画面に表示する技術も知られている。
【０００４】
【発明が解決しようとする課題】
これら従来の各技術は、動画中から取り込んだ一または複数の静止画を表示する技術である。
【０００５】
このため、たとえば、前述したマルチ画面に複数の静止画を表示する技術によれば、各曲に対応して表示された静止画は、各曲の内容を推定するためのインデックスとして利用することができる。
【０００６】
しかしながら、単にこのような表示を行うだけでは、利用者の動画の利用に関して必ずしも充分ではなく、表示した静止画に関連づけた、当該静止画を取り込んだ動画の利用を可能とすることが望ましい。
【０００７】
そこで、本発明は、動画から任意のタイミングで１または複数の場面を静止画として取り込んで記憶し、記憶した１または複数の静止画を表示し、表示中より選択された静止画に対応する場面から、当該場面が含まれる動画の再生を開始する映像再生装置を提供することを課題とする。
【０００８】
【課題を解決するための手段】
前記課題達成のために、本発明は、記憶媒体に記憶された動画の再生を行う映像再生装置であって、再生中の動画の任意の場面の選択を受け付ける記憶画像選択手段と、当該記憶画像選択手段が選択を受け付けた場面を動画中において構成する静止画を、１または複数記憶する画像記憶手段と、当該画像記憶手段が記憶した各静止画について、当該静止画の動画中の位置を表すアドレスを記憶するアドレス記憶手段と、前記画像記憶手段に記憶されている１または複数の静止画を表示するメニュー表示手段と、当該メニュー表示手段が表示した１または複数の静止画の内の一つの静止画の選択を受け付ける再生画像選択手段と、再生画像選択手段が選択を受け付けた静止画について前記アドレス記憶手段に記憶されている動画中の位置を再生を開始する位置として、前記記憶媒体からの動画の再生を行うジャンプ再生手段とを有することを特徴とする映像再生装置を提供する。
【０００９】
このような映像再生装置によれば、利用者は、動画から１または複数の任意の場面を静止画として取り込んで記憶し、記憶した１または複数の静止画を表示させることができる。また、この表示中より、その内容を確認しながら再生を開始する場面を選択し、選択した静止画に対応する場面から、当該場面が含まれる動画の再生を開始させることができる。
【００１０】
【発明の実施の形態】
以下、本発明に係る映像再生装置の一実施形態をビデオＣＤ再生装置への適用を例にとり説明する。
【００１１】
図１に、本実施形態に係る映像再生装置の構成を示す。
【００１２】
図中、ディスクドライブ部１は、サーボ制御回路（図示省略）の制御に従い、ディスクの回転制御や、光ピックアップのトラバース、トラッキング、フォーカス制御などを行う。再生制御部２は、ＣＰＵ７からの命令に従い、ディスクドライブ部ｌに対するリードや、リード位置のジャンプなどの制御を行うと共に、ディスクからリードした画像データをデコーダユニット３に送る。また、再生制御部２は、画像データを読み出したセクターのセクターｌＤアドレスをＩＤアドレス制御部ｌ３に送る。ここで、ディスク上で、データは複数のデータブロックに分割されており、各データブロックには、その位置を表すセクターＩＤアドレスが付されている。また、画像データは、ＭＰＥＧ方式によって符号化されディスクに記憶されている。
【００１３】
デコーダユニツト３は、ディスクドライブ部１から送られたＭＰＥＧ方式によって符号化された画像データをデコードし、表示制御部４にデコードした画像データを送る。
【００１４】
一方、ＩＤアドレス制御部１３は、デコーダユニット３においてデコードが開始されたデータブロックのセクターＩＤアドレスを保持し、さらに、それぞれのデータブロックの画像データがデコードされ表示されるまでの時間だけ、セクターＩＤアドレスを遅延し、ＣＰＵ７からのセクターＩＤアドレスライト命令に応じて、セクターＩＤアドレスをセクターＩＤアドレスメモリｌ２に記憶する。これにより、ＭＰＥＧ方式のようにデコードする順番と表示する順番が異なる場合でも、表示する順番にセクターＩＤアドレスを並べ替え、セクターＩＤアドレスメモリｌ２に記憶する。ここで、セクターＩＤアドレスメモリ１２は、１から９のブロック番号で管理される９個のメモリーブロックに別れており、各々に一つずつ、計９個のセクターｌＤアドレスを記憶することができる。また、セクターＩＤアドレスメモリｌ２の９個のメモリーブロックごとに記憶してある各セクターＩＤアドレスは、ＣＰＵ７より画像削除命令によって削除することができる。
【００１５】
次に、メニューフレームメモリｌ０は、ｌから９のブロック番号で管理される縦横３つの９個のメモリーブロックに別れており、それぞれのメモリーブロックに、縦横ｌ／３に間引いてｌ／９サイズに縮小した画像データを記憶することができる。
【００１６】
また、ＲＯＭｌｌは、文字１から９のイメージデータがあらかじめ記憶されている読み出し専用メモリーである。後述するように、この文字イメージデータは、メニューフレームメモリｌ０中の９個の縮小画像データの一部分に上書きされる。
【００１７】
表示制御部４は、通常再生のときにはデコーダユニット３から送られた画像データを、デジタルＲＧＢビデオデータに変換して画像フレームメモリ９に一時記憶したのち、デジタルＲＧＢビデオデータをＲＧＢエンコーダ５に送る。また、表示制御部４は、ＣＰＵ７より画像記憶命令を受けると、メニューフレームメモリｌ０の９個のメモリーブロックから、空いている一つのメモリーブロックを選択し、その時の画像フレームメモリ９の画像をｌ／９に縮小し、選択したメニューフレームメモリｌ０のメモリーブロックに記憶する。また、表示制御部４は、選択されたメモリーブロック番号に対応した番号のイメージデータをＲＯＭ１ｌから読み出して、選択したメモリーブロック内の所定の位置、たとえば画像の左上の部分に上書きする。もし、画像フレームメモリ９に、空いているメモリーブロックがないときには、表示制御部４は、メモリーフルを示すインジケータランプｌ４を点灯するようにする。
【００１８】
また、表示制御部４は、ＣＰＵ７よりメニュ一表示命令を受け取ると、メニューフレームメモリｌ０の各メモリーブロックに記憶してある画像データをＲＧＢエンコーダ５におくる。また、ＣＰＵ７より画像削除命令を受けると、メニューフレームメモリｌ０の９個のメモリーブロックごとに記憶してある画像データを削除する。
【００１９】
次に、ＲＧＢエンコーダ５は、送られてきた画像データ（デジタルＲＧＢビデオデータ）をモニター６に表示できるようにアナログＲＧＢビデオ信号に変換し、モニター６に供給する。これによって、モニタ６に、画像が表示される。
【００２０】
操作パネル８は、再生、停止、メニュー表示、画像記憶、ジャンプ、メニュー削除、ｌ０キーボタン（０から９までの数字キー）などを備えている。
【００２１】
以下、本実施形態に係る映像再生装置の動作について説明する。
【００２２】
なお、本実施形態に係る映像再生装置における、ディスクに記憶された動画の再生や停止早送りや早戻しやトラックのジャンプなどの動作は従来の装置と同様であるので、これらについては説明を省略し、ここでは、本実施形態の特徴的部分について説明する。
【００２３】
まず、操作パネル８の、画像記憶ボタンが押されたときの動作を説明する。
【００２４】
図２に、この場合の映像再生装置の行う処理の処理手順を示す。
【００２５】
画像記憶ボタンは、動画像再生中に操作者が任意の位置画像のセクターｌＤアドレスと、その画像を記憶するためのボタンである。
【００２６】
図示するように、画像記憶ボタンが押されたことをＣＰＵ７から通知された表示制御部４は、ステップＳｌにおいて、メニューフレームメモリｌ０に空いているメモリーブロックがあるかを調べ、空いているメモリーブロックがある場合は、ステップＳ２で、その空いているメモリーブロック番号を記憶し、ステップＳ３で画像フレームメモリ９の画像データ（動画を構成する静止画一枚分の画像データ）を縦横ｌ／３に間引いてｌ／９に縮小する。そして、ステップＳ４では、ステップＳ３で縮小した画像を、ステップＳ２で記憶したメモリーブロック番号に対応するメニューフレームメモリｌ０のメモリブロックに記憶する。
【００２７】
次に、ステップＳ５で、表示制御部４は、ステップＳ２で記憶したメモリーブロック番号に対応する番号のイメージデータを、ＲＯＭｌｌから読み出す。そして、ステップＳ６では、そのイメージデータを、ステップＳ４で画像データを記憶したメモリーブロック内の縮小画像データの左上部に上書きする。
【００２８】
一方、画像記憶ボタンが押されたことをＣＰＵ７から通知されたＩＤアドレス制御部１３は、ステップＳ７で、ステップＳ２で記憶したメモリーブロック番号に対応するセクターＩＤアドレスメモリｌ２のメモリーブロックに、ＩＤアドレス制御部ｌ３で遅延保持しておいた画像記憶ボタンが押されたときにモニタ６に表示していた画像データのセクターＩＤアドレスを記憶するように制御する。
【００２９】
なお、ステップＳｌで、空いているメモリーブロックがないと判定された場合には、表示制御部４は、ステップＳ８で操作が無効であることを示すインジケータランプｌ４を所定の時間（たとえば、０．５秒間）点灯する。
【００３０】
次に、操作パネル８のメニュー表示ボタンが押されたときの動作について説明する。
【００３１】
図３に、この場合に行う処理の処理手順を示す。
【００３２】
ここで、メニュー表示ボタンは、すでにメニューフレームメモリｌ０に記憶してある縮小された９つの画面を、３×３縮小画面よりなるマルチ画面として表示するメニュー表示を行うためのボタンである。
【００３３】
この処理では、ＣＰＵ７からメニュー表示ボタンが押されたことを通知された表示制御部４は、ステップＳ９で、現在、メニュー表示中であるかを判断する。そして、メニュー表示中である場合は、ステップＳｌ０に進み、メニューの表示を止める。そして、ステップＳｌｌで、現在、動画の再生が一時停止中であるかを判断する。一時停止中であれば、ステップＳｌ２に進み、表示制御部４を制御し、一時停止を解除して再生を再開し、処理を終了する。一方、一時停止中でなければ、そのまま処理を終了する。
【００３４】
一方、ステップＳ９で、メニュー表示中でない場合は、ステップＳｌ３に進みメニュー表示を行う。
【００３５】
このステップＳｌ３のメニュー表示を行う処理の詳細な手順を、図４に示す。
【００３６】
図示するように、この処理では、表示制御部４は、まず、ステップＳｌ４でメニュー表示に用いる縮小画像がメニューフレームメモリｌ０に記憶されているかを判断する。表示するための縮小画像が少なくとも一つ記憶されている場合は、ステップＳｌ５に進み、現在動画が再生中であるかを判断する。動画再生中であれば、ステップＳｌ６に進み、再生を一時停止し、ステップＳｌ７でメニューフレームメモリ１０の９つの縮小画像をＲＧＢエンコーダ５に、３×３の縮小画面よりなるマルチ画面を構成するように送り、これをモニター６に表示し、処理を終了する。この際、マルチ画面の形式で表示される各縮小画像の左上には、当該縮小画像のメニューフレームメモリ１０記憶時に書き込まれたイメージデータ、すなわち、１から９の番号が表示される。また、３×３の縮小画面よりなるマルチ画面のうち、対応する（表示すべき）縮小画像がメニューフレームメモリ１０に記憶されていない部分はブランクとして表示されることになる。
【００３７】
もし、ステツプＳｌ４で、メニューフレームメモリｌ０に表示する画像が一つも記憶されていない場合は、表示制御部４は、ステップＳｌ９に進み、インジケータランプｌ４を所定の時問点灯し、ステップＳ２０でメニュー表示を止める。そして、ステップＳ２ｌで、再生が一時停止中であるかを判断し、一時停止中であれば、ステップＳ２２で一時停止を解除して再生を再開し処理を終了する。また、一時停止中でなければ、そのまま処理を終了する。
【００３８】
次に、操作パネル８のジャンプボタンが押されたときの動作を説明する。
【００３９】
図５に、この場合に行う処理の処理手順を示す。
【００４０】
ここで、ジャンプボタンは、画像記憶ボタンにより記憶した縮小画像に対応する位置から動画の再生を開始するためのボタンである。
【００４１】
この場合、図示するように、ＣＰＵ７は、ジヤンプボタンが押されると、ステップＳ２３で次のボタンの入力があったら、ステップＳ２４で押されたボタンが有効であるかを判断する。ここでは、９個の場面を記憶できるので、ｌから９までの番号のうち画像記憶ボタンにより指定した縮小画像を記録しているメニューフレームメモリ１０のメモリーブロックの番号が、ジヤンプボタンの次のボタンの入力であった場合に有効となる。
【００４２】
ＣＰＵ７から有効な番号ボタンが通知された表示制御部４は、ステップＳ２５で、メニュー表示中であるかを判断する。そして、メニュー表示中であれば、ステップＳ２６でメニュー表示を止める。一方、ＣＰＵ７は、ステップＳ２７でその有効な番号に対応したセクターＩＤアドレスをセクターＩＤアドレスメモリｌ２から読み出す。そして、ステップＳ２８で、ステップＳ２７で読み出したセクターＩＤアドレスとともにジャンプ命令を再生制御部２に送る。
【００４３】
再生制御部４では、送られたセクターＩＤアドレスをサーチし、検出されればそのセクターＩＤアドレスの位置から動画の再生を開始する。
【００４４】
一方、もし、ステップＳ２４で、有効な番号ボタン以外のボタンが押された場合は、ステップＳ２９に進み、ＣＰＵ７から有効な番号ボタン以外のボタンが押されたことを通知された表示制御部４は、インジケータランプｌ４を所定の時間点灯し、ステップＳ３０でメニューが表示中であるかを判断する。そして、メニューが表示中であれば、ステップＳ３ｌでメニュー表示を止めて、ステップＳ３２に進む。ステップＳ３２では、動画の再生が一時停止中であるかを判断し、一時停止中であれば、ステップＳ３３で一時停止を解除して再生を再開し処理を終了する。一時停止中でなければ、そのまま処理を終了する。
【００４５】
次に、操作パネル８のメニュー削除ボタンが押されたときの動作を説明する。
【００４６】
メニュー削除ボタンは、メニューフレームメモリｌ０とセクターＩＤアドレスメモリｌ２の任意のメモリーブロックの内容を消去するためのボタンである。
【００４７】
図６に、この場合に行う処理の処理手順を示す。
【００４８】
図示するように、この処理では、メニュー削除ボタンが押されると、ＣＰＵ７は、ステップＳ３４でメニュー表示中であるかを判断し、メニュー表示中であれば、ステツプＳ３５に進み、次のボタンが押されるのを待つ。
【００４９】
一方、メニュー表示中でなければ、ステップＳ３９に進む。ステップＳ３９では、図４の処理を行う。すなわち、表示する縮小画像がメニューフレームメモリｌ０中にあれば、再生中の動画の一時停止や、メニュー表示を行う。そして、ステツプＳ３５に進み、次のボタンが押されるのを待つ。ただし、ステップＳ３９に表示する縮小画像がなければ、図４の処理の場合と同様にインジケーターランプ１４の点灯や、一時停止中の動画再生の再開などを行い、図６の本処理を終了する。
【００５０】
ステップＳ３５では、メニュー削除ボタンの次のボタンが押されると、ステップＳ３６に進む。ステップＳ３６では、押されたボタンが有効であるかを判断する。ここでは、９個の場面を記憶できるので、ｌから９までの番号のうち画像記憶ボタンにより指定した縮小画像を記録しているメニューフレームメモリ１０のメモリーブロックの番号が、メニュー削除ボタンの次のボタンの入力であった場合に有効となる。
【００５１】
メニュー削除ボタンの次のボタンが有効であった場合には、ステツプＳ３７に進み、ＣＰＵ７が、ＩＤアドレス制御部１３を制御し、その有効な番号に対応するセクターＩＤアドレスメモリｌ２とメニューフレームメモリｌ０のメモリーブロック内の内容を消去し、ステップＳ３８に進む。ここで、メニューフレームメモリｌ０のメモリーブロックの消去は、メモリーブロックにブランク画像を書き込むことにより行う。
【００５２】
次に、ステップＳ３８では、先ほどと同様に図４の処理を実行する。そして、メニューフレームメモリｌ０のメモリーブロックの消去後にメニューフレームメモリｌ０内に残っている縮小画像のメニュー表示を行う。もし、メニューフレームメモリｌ０のメモリーブロックの消去後にメニューフレームメモリｌ０内に残っている縮小画像が残っていない場合には、図４の処理と同様に、インジケーターランプ１４の点灯や、一時停止中の動画再生の再開などを行い、図６の本処理を終了する。
【００５３】
ステップ３８の処理において、再度メニュー表示が行われた場合には、ステップＳ３５に戻って、再度ボタンの入力を待つ。
【００５４】
ステップＳ３６で有効でないボタンが押された場合であるが、この場合は、ステップＳ４０に進み、ＣＰＵ７は表示制御部４を制御し、操作が無効であることを示すインジケータランプｌ４を所定の時間点灯し、ステップＳ４ｌに進む。ステップＳ４ｌでは、ステップＳ３６で押されたボタンがメニュー表示ボタンであるかを判定し、メニュー表示ボタンであれば、ステップＳ４２に進み、メニュー表示を止めて、ステップＳ４３で動画の再生が一時停止中であるかを判断し、一時停止中であれば、ステップＳ４４に進み、一時停止を解除して再生を再開し、処理を終了する。一方、一時停止中でなければ、そのまま処理を終了する。
【００５５】
また、ステップＳ４ｌで、押されたボタンがメニュ一表示ボタンでないと判定された場合には、ステップＳ３５に戻って再びボタンの入力を待つ。
【００５６】
以上、本実施形態に係る映像再生装置の構成と動作について説明した。
【００５７】
以下では、このような映像再生装置の利用の一態様について説明する。
【００５８】
動画再生中にあるシーンが表示されたときに、画像記憶ボタンが押されると、図３の処理の手順により、そのシーンを構成する一場面（静止画）がメニューフレームメモリ１に縮小画像及び番号として記憶される。さらに、別のシーンの場面を記憶したければそのシーンが表示されたときに、順次画像記憶ボタンを押すことにより、順次、メニューフレームメモリ１に、画像記憶ボタンが押された時点の場面の縮小画像と番号が記憶される。本実施形態では、このようにして、最大９個のシーン中の場面が記憶可能である。
【００５９】
この後、あるシーンを再び鑑賞するには、メニュー表示ボタンを押すことにより記憶した各シーンの場面の縮小画像と番号がモニター６にメニュー表示させ、ジャンプボタンに続けて、希望のシーンの場面の番号をｌ０キーボタンで選択すれば、上記図５の処理により、選択した場面を含むシーンが当該場面から再生される。もし、そのシーンを繰り返し鑑賞したいときには、繰り返し、ジャンプボタンに続けて、その場面の番号をｌ０キーボタンで選択すればよい。
【００６０】
また、画像削除ボタンを押すことによって起動する図６の処理によって行われるメニュー表示で、記憶されている各シーンの場面を確認しながら、削除を所望する場面の番号をｌ０キーボタンによって指定することにより、記憶されている任意のシーンの場面の削除を行い、新たなシーンの場面を記憶する余地を生成することができる。
【００６１】
ここで、たとえば、本映像再生装置を、複数のアングルで撮影した複数の動画を、一つのデータストリーム中に時分割でマルチプレックスして記憶しておき、視聴者の選択に応じて各アングルの画像を切り替えながら再生できるデジタルビデオディスクに適用すれば、それぞれのアングルの動画の再生中に、画像記憶ボタンで、各々アングルの動画の開始位置などの場面を記憶しておくことによって、視覚的に確認しながらアングル画像を切り替え、再生する利用法が可能となる。
【００６２】
以上説明したように、本実施形態に係る映像再生装置によれば、動画像再生中に当該動画を構成する任意の場面を１または複数記憶し、それらの１または複数の場面を同時に表示し、表示したそれぞれの場面の選択を受け付け、受け付けた場面から動画の再生を開始することが可能となる。また、表示したそれぞれの場面を選択することによって、記憶した場面を視覚的に確認しながら削除することが可能となる。
【００６３】
なお、以上の実施形態では、静止画を１／９に縮小した縮小画像を９つ記憶し、メニュー表示で９つの縮小画像を表示する場合について説明したが、縮小画像の個数や縮小率は、これ以外であってもよい。また、必ずしも、１枚の画面に記憶した全ての縮小画像を表示するのではなく、たとえば、利用者の操作によって切り替わる複数の画面に分けて表示するようにしてもよい。また、静止画に代えて、動画の一部分を記憶、メニュー表示するようにしてもよい。
【００６４】
【発明の効果】
以上のように、本発明によれば、動画から任意のタイミングで複数の場面を静止画として取り込んで記憶し、記憶した複数の静止画を表示し、表示中より選択された静止画に対応する場面から、当該場面が含まれる動画の再生を開始する映像再生装置を提供することができる。
【図面の簡単な説明】
【図１】映像表示装置の構成を示すブロック図である。
【図２】映像表示装置における画像記憶の処理手順を示すフローチヤートである。
【図３】映像表示装置におけるメニュー表示の処理手順を示すフローチヤートである。
【図４】映像表示装置におけるメニュー表示の処理手順を示すフローチヤートである。
【図５】映像表示装置におけるジヤンプの処理手順を示すフローチヤートである。
【図６】映像表示装置における画像削除の処理手順を示すフローチヤートである。
【符号の説明】
１  ディスクドライブ部
２  再生制御部
３  デコーダユニット
４  表示制御部
５  ＲＧＢエンコーダ
６  モニター
７  ＣＰＵ
８  操作パネル
９  画像フレームメモリ
１０  メニユーフレームメモリ
１１  ＲＯＭ
１２  セクターＩＤアドレスメモリ
１３  ＩＤアドレス制御部
１４  インジケータランプ
【図１】
0003609586.tif 000002
【図２】
0003609586.tif 000003
【図３】
0003609586.tif 000004
【図４】
0003609586.tif 000005
【図５】
0003609586.tif 000006
【図６】
0003609586.tif 000007